(57)【要約】【課題】  非稼働状態から稼働状態への移行が早く、かつエネルギー効率の良い画像形成装置を提供することを目的とする。【解決手段】  商用電源から電力供給を受ける主電源と、蓄電可能な補助電源を有する画像形成装置であって、前記画像形成装置の少なくとも一部の機能の制御をする制御部と、前記制御部による制御に用いられるデータを記憶する揮発性記憶部を有し、非稼働状態で、前記補助電源から前記制御部及び前記揮発性記憶部に電力供給される画像形成装置である。【選択図】図４
2019211584.tif 000002
【特許請求の範囲】
【請求項１】
商用電源から電力供給を受ける主電源と、
蓄電可能な補助電源を有する画像形成装置であって、
前記画像形成装置の少なくとも一部の機能の制御をする制御部と、
前記制御部による制御に用いられるデータを記憶する揮発性記憶部を有し、
非稼働状態で、前記補助電源から前記制御部及び前記揮発性記憶部に電力供給される画像形成装置。
【請求項２】
前記非稼働状態で、
前記補助電源から前記制御部及び前記揮発性記憶部に電力供給される状態と、前記主電源から前記制御部に電力供給されるが前記揮発性記憶部には電力供給されない状態とを切り替える請求項１の画像形成装置。
【請求項３】
前記非稼働状態で、
前記補助電源の残量が所定量以上の場合、前記補助電源から前記制御部及び前記揮発性記憶部に電力供給され、
前記補助電源の残量が所定量より少ない場合、前記主電源から前記制御部に電力供給されるが、前記揮発性記憶部には電力供給されない請求項１または２いずれかの画像形成装置。
【請求項４】
稼働状態では、前記主電源から前記制御部に電力供給され、前記補助電源からは前記制御部に電力供給されない請求項１ないし３いずれかの画像形成装置。
【請求項５】
前記制御部は、前記主電源及び前記補助電源からの電力供給を制御する請求項１〜４の何れか記載の画像形成装置。
【請求項６】
前記非稼働状態で、前記補助電源から前記制御部及び前記揮発性記憶部に電力供給され、前記補助電源の残量が所定量より少なくなった場合、前記主電源から前記制御部に電力供給されるが、前記揮発性記憶部には電力供給されない請求項１ないし５いずれかの画像形成装置。
【請求項７】
前記非稼働状態における前記補助電源から前記制御部及び前記揮発性記憶部に電力供給される状態から前記稼働状態への移行に要する時間は、
前記非稼働状態における前記主電源から前記制御部に電力供給されるが前記揮発性記憶部には電力供給されない状態から前記稼働状態への移行に要する時間よりも短い請求項４の画像形成装置。
【請求項８】
前記商用電源から前記主電源への電力供給を遮断するスイッチを有し、
前記制御部は、前記補助電源から電力供給される場合は、前記商用電源から前記主電源への電力供給を遮断するように前記スイッチを制御する請求項１ないし７いずれかの画像形成装置。
【請求項９】
前記非稼働状態は、前記画像形成装置の起動スイッチがオフの状態である請求項１ないし８いずれかの画像形成装置。
【請求項１０】
前記制御部は、前記非稼働状態で前記画像形成装置の前記起動スイッチがオンされたことを検知し、前記非稼働状態で前記制御部に供給される電力は、前記画像形成装置の起動スイッチがオンされたことを検知するのに必要な電力以上である請求項９の画像形成装置。
【請求項１１】
商用電源から電力供給を受ける主電源と、
蓄電可能な補助電源を有する画像形成装置であって、
前記画像形成装置を制御する制御部と、
前記画像形成装置への操作入力を受け付ける操作部を制御する操作部制御部と、
前記制御部による制御に用いられるデータを記憶する第一の揮発性記憶部と、
前記操作部制御部による制御に用いられるデータを記憶する第二の揮発性記憶部と有し、
前記制御部は、非稼働状態で、前記補助電源から前記制御部及び前記第一の揮発性記憶部及び前記操作部制御部及び前記第二の揮発性記憶部に電力供給する画像形成装置。
【請求項１２】
前記制御部は、前記非稼働状態で、
前記補助電源から前記制御部及び前記第一の揮発性記憶部及び前記操作部制御部及び前記第二の揮発性記憶部に電力供給される状態と、前記主電源から前記制御部及び前記操作部制御部に電力供給されるが前記第一の揮発性記憶部及び前記第二の揮発性記憶部には電力供給されない状態とを切り替える請求項１１の画像形成装置。
【請求項１３】
商用電源から電力供給を受ける主電源と、
蓄電可能な補助電源と、
前記画像形成装置の少なくとも一部の機能の制御をする制御部と、
前記制御部による制御に用いられるデータを記憶する揮発性記憶部を有する画像形成装置による画像形成方法であって、
非稼働状態で、前記補助電源から前記制御部及び前記揮発性記憶部に電力供給する画像形成方法。
【発明の詳細な説明】
【技術分野】
【０００１】
本発明は、画像形成装置および画像形成方法に関する。
【背景技術】
【０００２】
従来、画像形成装置は、画像形成装置のスイッチオフ状態、待機モード、省エネモード、スリープモード等の消費電力の低い状態を取ることが知られている。またこのような画像形成装置では、消費電力の低い状態から使用可能状態になるまでの待機時間を短縮して、ユーザ操作性や快適性向上する要求がされる。
【０００３】
特許文献１には、消費電力の低い状態である待機状態（「省エネモード」）を有する像形成装置においてさらに、待機状態において補助電源から省エネ負荷に給電することにより、電源回路の効率が良くなり、エネルギー消費量を削減することができる画像形成装置が開示されている。
【発明の概要】
【発明が解決しようとする課題】
【０００４】
本発明は、非稼働状態から稼働状態への移行が早く、かつエネルギー効率の良い画像形成装置を提供することを目的とする。
【課題を解決するための手段】
【０００５】
上記課題を解決するために、請求項１にかかる発明は、商用電源から電力供給を受ける主電源と、蓄電可能な補助電源を有する画像形成装置であって、前記画像形成装置の少なくとも一部の機能の制御をする制御部と、前記制御部による制御に用いられるデータを記憶する揮発性記憶部を有し、非稼働状態で、前記補助電源から前記制御部及び前記揮発性記憶部に電力供給される画像形成装置である。
【発明の効果】
【０００６】
本発明によれば、非稼働状態から稼働状態への移行が早く、かつエネルギー効率の良い画像形成装置を提供することができる。
【図面の簡単な説明】
【０００７】
【図１】第１の実施形態の画像形成装置の概略構成図である。
【図２】第１の実施形態の電力供給構成の説明図である。
【図３】起動モードの説明図である。
【図４】第１の実施形態の起動モード変更のシーケンスである。
【図５】第１の実施形態の起動モード変更の処理フローである。
【図６】電力供給構成の変形例である。
【発明を実施するための形態】
【０００８】
以下、添付の図面に基づき、本発明の実施の形態について説明する。なお、本発明の実施の形態を説明するための各図面において、同一の機能もしくは形状を有する部材や構成部品等の構成要素については、判別が可能な限り同一符号を付すことにより一度説明した後ではその説明を省略する。
【０００９】
図１は、画像形成装置の部分的に内部を透視した側面図である。
【００１０】
画像形成装置１００は、コピー機能、ＦＡＸ機能、プリント機能、スキャナ機能、また、入力画像（スキャナ機能による読み取り原稿や、プリンタ機能あるいはＦＡＸ機能により入力された画像）を保存や配信する機能等を複合して有するいわゆるＭＦＰ（Ｍｕｌｔｉ  Ｆｕｎｃｔｉｏｎ  Ｐｅｒｉｐｈｅｒａｌ／Ｐｒｉｎｔｅｒ）と称される複合機である。また、画像形成装置１００は、ＰＣ（Ｐｅｒｓｏｎａｌ  Ｃｏｍｐｕｔｅｒ）等の外部装置とも通信可能であり、外部装置から受信した指示に応じた動作を行うこともできる。なお、本実施形態において、画像形成装置１００で処理される「画像」には画像データだけでなく、画像データが含まれていないデータ、つまりテキスト情報のみのデータも含むものとする。
【００１１】
画像形成装置１００は、帯電された感光体表面が選択的に露光されることにより書き込まれた静電潜像に、トナーを付着させ、付着させたトナーを用紙等の記録媒体に転写するいわゆる電子写真方式の画像形成装置である。
【００１２】
画像形成装置１００は、図１に示されるように、主電源であるＰＳＵ（Ｐｏｗｅｒ  Ｓｕｐｐｌｙ  Ｕｎｉｔ）１と、補助電源である蓄電装置２と、画像形成装置１００を起動するための起動スイッチ３と、画像形成装置１００に操作入力するための操作部４と、操作部４の操作入力等に基づいて画像形成装置１００を制御するコントローラ５と、原稿を搬送するＡＤＦ（Ａｕｔｏ  Ｄｏｃｕｍｅｎｔ  Ｆｅｅｄｅｒ）６と、ＡＤＦ６から搬送される原稿の画像を読み取る画像読取装置７と、画像読取装置７が読み取った画像に対応する潜像を感光体に書き込む書込みユニット８と、書込みユニット８が書き込んだ潜像に基づき、用紙等の記録媒体上に画像を形成するプリンタユニット９と、記録媒体を収納する給紙カセット１０Ａと、給紙カセット１０Ｂと、給紙カセット１０Ａ、給紙カセット１０Ｂに収納された記録媒体をプリンタユニット９に対して搬送する搬送路１１とを有する。なお、ＰＳＵ１と、蓄電装置２と、コントローラ５と、プリンタユニット９と、給紙カセット１０Ａと、給紙カセット１０Ｂと、搬送路１１は画像形成装置１００の外装の内部に設けられているが、図１においてこれらの部材については内部を透視して示している。
【００１３】
ＰＳＵ１は、商用電源からの電力を必要に応じて変換し、画像形成装置１００内の各部に供給する。
【００１４】
蓄電装置２は、ＰＳＵ１を介して商用電源からの電力により蓄電可能であり、蓄電した電力を画像形成装置１００内の各部に供給可能である。
【００１５】
起動スイッチ３は、画像形成装置１００の電源がオフの状態でユーザによって押圧されると、画像形成装置１００を起動する。また画像形成装置１００が起動した状態、つまり電源がオンの状態でユーザによって押下されると、画像形成装置をオフ状態とする。このように起動スイッチ３は、ユーザが押圧することによって画像形成装置１００をオン／オフしてもよいがこれに限られず、外部装置から受信した指示に基づき画像形成装置１００をオン／オフしてもよい。
【００１６】
操作部４は、一例としてタッチパネルを有し、ユーザやカスタマーエンジニア等による操作や、それら操作によって入力される情報を受け付ける。
【００１７】
コントローラ５は、画像形成装置１００を統括的に制御する。一例として操作部４が受け付けた操作や情報に応じた動作を、画像形成装置１００に実行させる。その他の例として、特定の条件を検知した場合、例えば起動スイッチ３の押下を検知した場合、さらにその他の例として、画像形成装置１００に発生した異常を検知した場合等に、あらかじめ決められた動作を画像形成装置１００に実行させる。
【００１８】
コントローラ５の具体例としては、画像形成装置１００を統括的に制御する回路を搭載したコントローラボードである。この回路には、一例としてＣＰＵ（Ｃｅｎｔｒａｌ  Ｐｒｏｃｅｓｓｉｎｇ  Ｕｎｉｔ）やＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）が搭載されており、ＣＰＵが、ＲＡＭを作業領域として、ＲＯＭやＨＤＤ（Ｈａｒｄ  Ｄｉｓｃ  Ｄｒｉｖｅ）に記憶されたプログラムを実行することによって、画像形成装置１００を制御する。
【００１９】
ＡＤＦ６は、ＡＤＦ６上に置かれた原稿を画像読取装置７へと搬送する。複数の原稿からなる原稿束が置かれた場合は、原稿を順に画像読取装置７へと搬送する。
【００２０】
画像読取り装置７は、原稿上の画像情報を光学的に読み取る。
【００２１】
書込みユニット８は、画像読取装置７により読み取られた画像情報に基づいて、表面を帯電された感光体上を露光して、感光体上に静電潜像を書き込む。
【００２２】
プリンタユニット９は、感光体としての感光体ドラム９１と、感光体ドラム９１の外表面を帯電させる帯電装置９２と、帯電された感光体ドラム９１上に書き込まれた潜像をトナーで現像する現像装置９３と、トナー画像を形成する記録媒体を搬送する搬送ベルト９４と、記録媒体上のトナーを記録媒体に定着させる定着装置９５とを有し、記録媒体上にトナー画像を形成する。
【００２３】
給紙カセット１０Ａ、１０Ｂは画像形成前の記録媒体を収納する。図１においては一例として二つの給紙カセットを有し、それぞれにサイズの異なる記録媒体を収納しているが、一つであっても良いし、三つ以上であってもよい。
【００２４】
搬送路１１は、各種ローラを有し、給紙カセット１０Ａ、給紙カセット１０Ｂに収納された記録媒体をプリンタユニット９に搬送する。
【００２５】
ここで、コピーモードを例として画像形成装置１００での画像形成の流れを説明する。まずユーザが、操作部４で機能切替キー等をユーザが操作することにより、画像形成装置１００のコピー機能、プリンタ機能、及びファクシミリ機能を順次に切り替えて選択し、各機能を動作させることが可能となる。コピー機能の選択時にはコピーモードとなり、プリンタ機能の選択時にはプリンタモードとなり、ファクシミリ機能選択時にはファクシミリモードとなる。
【００２６】
コピーモードでは、ＡＤＦ６に置かれた原稿束が、順に画像読み取り装置７に給送され、画像読み取り装置７により、各原稿の画像情報が読み取られる。
【００２７】
感光体ドラム９１の外周面は、暗中にて帯電装置９２により一様に帯電された後、書込みユニット８からの照射光（図１中に点線矢印Ａで示す。）により露光され、その結果、感光体ドラム９１の外周面上に静電潜像が形成される。現像装置９３は、この静電潜像をトナーにより可視像化する。これにより、感光体ドラム９１上にトナー画像が形成される。感光体ドラム９２上に形成されたトナー画像は、搬送ベルト９４上の記録媒体に転写される。そして定着装置９５が記録媒体上のトナー画像のトナーを溶融して、記録媒体にトナー画像を定着し、記録媒体を画像形成装置１００から排出する。
【００２８】
なお、プリンタユニット９がモノクロの電子写真方式によって画像を形成する場合を説明したが、カラーの電子写真方式やインクジェット方式などであってもよく、画像形成方式はこれらに限られない。
【００２９】
また、上述の操作部４は、コントローラ５によって制御されてもよいし、コントローラ５とは別に操作部４を制御するための制御回路を有し、制御されてもよい。その場合、コントローラ５の制御回路と操作部４の制御回路は、相互に通信可能に接続され、コントローラ５は操作部４を含む画像形成装置１００全体を制御する。
【００３０】
図２は、第一の実施例の電力供給構成である。
【００３１】
操作部４は、操作部４を制御する操作部制御部である操作部制御回路４１と、操作部４に関する情報等を記憶する揮発性記憶部であるＲＡＭ４２と、ＲＡＭ４２への通電を切り替える通電切替部である切替回路４３を有する。図２に示される各部をつなぐ実線は、各部間が通電されていることを示している。
【００３２】
操作部制御回路４１は、一例としてＣＰＵとＲＯＭを搭載した回路であり、操作部４の動作を制御する。また操作部制御回路４１は、マイクロコントローラ（マイコン）等と呼ばれることもある。
【００３３】
ＲＡＭ４２は揮発性記憶媒体、つまり電力が供給されている間はデータ等を記憶可能な記憶媒体であり、操作部制御回路４１が操作部４を起動するのに必要なデータや、操作部制御回路４１が操作部４を制御するのに用いる各種設定データを記憶する。なお、操作部４は画像形成装置１００の一部であるため、操作部４に関する各データは、画像形成装置１００に関する情報ということもできる。
【００３４】
切替回路４３は、一例としてＳｏＣ（Ｓｙｓｔｅｍ  ｏｎ  ａ  ｃｈｉｐ）と呼ばれる集積回路等が用いられるがＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）等でもよく、これらに限られない。
【００３５】
コントローラ５は、画像形成装置１００の制御部である制御回路５１と、画像形成装置１００に関する情報等を記憶する揮発性記憶部であるＲＡＭ５２と、ＲＡＭ５２への通電を切り替える電力切替部である切替回路５３とを有する。
【００３６】
制御回路５１は、一例としてＣＰＵとＲＯＭを搭載した回路であり、コントローラ５の動作を統括的に制御する。制御回路５１は、マイクロコントローラ（マイコン）等と呼ばれることもある。
【００３７】
ＲＡＭ５２は、揮発性記憶媒体、つまり電力が供給されている間はデータ等を記憶可能な記憶媒体であり、制御回路５１がコントローラ５を起動するのに必要なデータや、制御回路５１が画像形成装置１００の制御をするのに用いる各種設定データを記憶する。なお、コントローラ５は画像形成装置１００の一部であるため、コントローラ５に関する各データは、画像形成装置１００に関する情報ということもできる。
【００３８】
切替回路５３は、一例としてＡＳＩＣと呼ばれる集積回路等が用いられるがＳｏＣ等でもよく、これらに限られない。
【００３９】
なお、上述した揮発性記憶部であるＲＡＭ４２とＲＡＭ５２を、ＲＡＭ５２を第一の揮発性記憶部、ＲＡＭ４２を第二の揮発性記憶部と呼んで区別することがある。
【００４０】
図２において、ＰＳＵ１とコントローラ５、ＰＳＵ１と操作部４との間には、スイッチ１３が設けられている。スイッチ１３が閉じられた状態では、ＰＳＵ１が操作部４またはコントローラ５の電力供給元となり、図２のようにスイッチ１３が開いている場合は、蓄電装置２に蓄電された電力が電力供給元となる。
【００４１】
具体的には蓄電装置２の出力はブロックダイオード１２を介して常に操作部４及びコントローラ５に接続される。この際、蓄電装置２の出力電圧をＰＳＵ１の出力電圧より低くすることで、スイッチ１３が閉じた状態、つまりＰＳＵ１から電力を供給している間は蓄電装置２の電力は使用されず、ＰＳＵ１から電力が供給される。蓄電装置２は常に出力されているため、スイッチ１３が開いた状態、つまりＰＳＵ１からの出力が無い状態になることにより、操作部４またはコントローラ５への電力供給元は蓄電装置２となる。この様な構成を取ることで、電力供給元切り替え時に電圧遮断が生じる可能性を低減出来る。
【００４２】
制御回路５１は、信号線１４を用いて蓄電装置２から蓄電装置２の蓄電残量を取得する。また制御回路５１は、信号線１５を介してスイッチ１３のオンオフを行う。
【００４３】
図３は、画像形成装置の通常起動モードと高速起動モードを説明する概念図である。図３（ａ）（ｂ）はいずれも、画像形成装置１００が非稼働状態におけるＰＳＵ１から蓄電装置２、操作部４およびコントローラ５への電力供給について示している。
【００４４】
なお、非稼働状態とは、画像形成装置１００が最も電力消費が多い使用可能な状態を稼働状態とした場合の、電力消費量が稼働状態よりも少ない状態をいう。以降、非稼働状態の一例として、起動スイッチ３がオフの状態、つまり画像形成装置１００の電源オフ状態であるとして説明する。起動スイッチ３がオフの状態とは、画像形成装置１００内の各部に、操作部４およびコントローラ５以外には電力供給は行われず、その結果画像形成装置１００において最も消費電力が低い状態である。なお、非稼働状態は、起動スイッチ３がオフの状態以外に、待機モード、省エネモード、スリープモード等と呼ばれる一部の機能を非稼働にした状態も含む。
【００４５】
画像形成装置１００は、電源オフ状態から稼働状態へ移行するための二つのモード、通常起動モードと高速起動モードとを有している。
【００４６】
図３（ａ）に示される通常起動モードでは、操作部４の操作部制御回路４１には通電し、ＲＡＭ４２には通電しない。また、コントローラ５の制御回路５１には通電し、ＲＡＭ５２には通電しない。この図３（ａ）に示される通常起動モードでコントローラ５が実行する機能としては、起動スイッチ３がオンされたことを検知するために監視する程度である。したがって、非稼働状態で制御回路５１に供給される電力は、起動スイッチ３がオンされたことを検知するのに必要な電力以上であればよい。
【００４７】
一方図３（ｂ）に示される高速起動モードでは、ＲＡＭ４２、ＲＡＭ５２に通電している。
【００４８】
これにより制御回路５１が起動スイッチ３のオンを検知して画像形成装置１００を起動する際、ＲＡＭ４２、ＲＡＭ５２に保持された起動時に必要な各種データを利用できるため、高速起動モードでは通常起動モードよりも稼働状態へ移行する時間を短くできる。一方高速起動モードでは起動スイッチ３のオン／オフ切替を監視するのみである通常起動モードよりもＲＡＭ４２、ＲＡＭ５２に通電している。したがって高速起動モードは通電箇所が多い分、通常起動モードよりも消費電流が大きい。
【００４９】
図２を用いて、図３で説明した高速起動モードと通常起動モードへの移行について説明する。
【００５０】
制御部である制御回路５１は、画像形成装置１００の起動スイッチ３がオフされると、蓄電装置２から信号線１４を介して得られる蓄電残量に基づき、高速起動モードと通常起動モードのどちらに移行するか判断を行う。
【００５１】
具体的には、制御回路５１は、蓄電装置２の蓄電残量が所定量以上である場合は、高速起動モードへ移行すると判断し、切替回路４３、５３を制御してＲＡＭ４２、ＲＡＭ５２へ電力供給を行う。そして制御回路５１は、信号線１５を介してスイッチ１３をオフにする。
【００５２】
一方制御回路５１は、蓄電装置２お蓄電残量が所定量より小さい場合は、通常起動モードへ移行すると判断し、切替回路４３、５３を制御してＲＡＭ４２、ＲＡＭ５２へ通電を遮断し電力供給を行わない。そして信号線１５を介してスイッチ１３をオンにする。なお、制御回路５１は、切替回路４３を直接制御してもよいし、操作部制御回路４１を介して制御してもよい。
【００５３】
図４は、第１の実施形態の起動モード変更のシーケンスである。
【００５４】
図４（ａ）（ｂ）（ｃ）（ｄ）（ｅ）の横軸は、時間Ｔの経過を示している。Ｔ１は、画像形成装置１００の起動スイッチ３がオンの状態において、起動スイッチ３がオフされたタイミングを示している。Ｔ２は、起動スイッチ３がオフの状態で、起動モードと電力供給元が切り替わるタイミングを示している。
【００５５】
図４（ａ）は、画像形成装置１００の起動スイッチ３がオンの状態からオフの状態となった場合の、時間Ｔ経過に対応した画像形成装置１００の動作モードを示している。電源オンの状態からＴ１で電源オフの状態のうち、初めに高速起動モードへ移行し、Ｔ２で通常起動モードへ移行している。
【００５６】
図４（ｂ）の縦軸は、画像形成装置１００の起動スイッチ３がオンの状態からオフの状態となった場合の、画像形成装置１００内に負荷される電流である装置負荷電流を示している。画像形成装置１００の起動スイッチ３がオンの状態での装置負荷電流がＡ３であった場合、Ｔ１〜Ｔ２の画像形成装置１００の電源オフでかつ高速起動モード時は、製品負荷電流は電源オフされた分画像形成装置１００の各部への電力供給が無くなる分、Ａ３よりも少ないＡ２である。Ａ２は、制御回路５１および操作部制御回路４１およびＲＡＭ５２およびＲＡＭ４２への電流である。そして、電源オフでかつ通常起動モード時は、製品負荷電流はＡ２よりもさらに少ないＡ１となる。Ａ１は制御回路５１および操作部制御回路４１への電流である。一例として、最近の画像形成装置ではＡ１が６ｍＡ程度に対して、Ａ２は４０ｍＡ程度である。
【００５７】
図４（ｃ）は、画像形成装置１００の起動スイッチ３がオンの状態からオフの状態となった場合の、時間Ｔ経過に対応した画像形成装置１００の少なくとも操作部４およびコントローラ５への電力供給元を示している。電源オンの状態ではＰＳＵ１が電力供給元であり、らＴ１〜Ｔ２の高速起動モードでは蓄電装置２が、Ｔ２以降の通常起動モードではＰＳＵ１が電力供給元である。
【００５８】
図４（ｄ）は、画像形成装置１００の起動スイッチ３がオンの状態からオフの状態となった場合の、時間Ｔ経過に対応する蓄電残量を示している。起動スイッチ３がオンの状態では、蓄電装置２にはＰＳＵ１を経由して蓄電が行われている為、蓄電残量は１００％である。その後、ＰＳＵ１からの電力供給が無くなるＴ１以降は、蓄電装置２に対して蓄電のための電力供給がない状態で、蓄電装置２からＲＡＭ４２およびＲＡＭ５２に電力を供給するため残量が減っていく。そして、蓄電残量が１０％になると通常起動モード、つまり電力供給元がＰＳＵ１になるため、以降の蓄電残量は一定となっている。
【００５９】
図４（ｅ）は、画像形成装置１００の起動スイッチ３がオンの状態からオフの状態となった場合の、時間Ｔ経過に対応した画像形成装置１００への入力電力を示している。起動スイッチ３がオンの状態では、画像形成装置１００へはＰＳＵ１から電力が供給されており、入力電力はＷ３である。起動スイッチ３がオフされるＴ１〜Ｔ２は、操作部４やコントローラ５には画像形成装置１００内部の蓄電装置２から電力が供給されるため、商用電源ＡＣからの入力電力はほぼゼロである。そしてＴ２以降は、電力供給元がＰＳＵ１に切り替わるため、入力電力がＷ１となる。電源オフの状態のため、電源オンの状態のＷ３と比べてＷ１は小さい。
【００６０】
図４（ｅ）に示されるように、Ｔ２で蓄電装置２の充電が１０％と少なくなり電力供給元をＰＳＵ１に切り替えた際、例えば高速起動モードを維持したとすると、高速起動モードではＲＡＭ４２、ＲＡＭ５２への通電を行うため、図４（ｅ）に点線で示される入力電力Ｗ２が必要となる。しかし、Ｔ２で電力供給元を蓄電装置２からＰＳＵ１へと切り替える際に、高速起動モードから通常起動モードへ切り替えるため、入力電力をＷ２よりも少ないＷ１とすることができる。
【００６１】
つまり、従来画像形成装置で消費電力の低い状態、一例として電源オフ状態から、稼働状態になるまでの起動時間を短くし、操作性を高める要求があった。そこでより高速に起動するために、電源オフ状態においても起動時間を短くするのに必要な箇所には通電を維持する高速起動モードを有することで、起動時間の短縮が可能な画像形成装置が知られていた。
【００６２】
この場合、高速起動モードの通常起動モードよりも多い消費電力を、ＰＳＵではなく画像形成装置内部の蓄電装置から供給することで、入力電力を極力抑えつつ操作性を高めることが出来る反面、蓄電装置の残量が少なくなりＰＳＵからの電力供給に切り替えると、通常起動モードよりも消費電流が大きい分、画像形成装置への入力電力が大きくなり、省エネ性が低くなる。
【００６３】
それに対し図４で示したように、蓄電装置の残量に応じて画像形成装置の起動モードを切り替える、つまり画像形成装置１００が電源オフ状態で蓄電装置の残量が十分ある場合には起動は早いが消費電流が多い高速起動モードにして蓄電装置２から電力供給を行い、蓄電装置２の残量が少ない場合には、起動は遅いが消費電流の少ない通常起動モードにしてＰＳＵ１から電力供給を行うことで、常に入力電力を低く維持できる。
【００６４】
以上説明したように本実施形態は、非稼働状態において、消費電力の大きい高速起動モードでは商用電源から電力供給を受ける主電源からの電力供給は停止し、補助電源から制御部（操作部制御部または制御部）及び揮発性記憶部（第一の揮発性記憶部または第二の揮発性記憶部）に電力供給することで、操作性を高めながら入力電力を抑えることが出来る。すなわち、非稼働状態から稼働状態への移行が早く、かつエネルギー効率の良い画像形成装置を提供することができる。
【００６５】
加えて非稼働状態において、電力供給元を商用電源から電力供給を受ける主電源に切り替えつつ、制御部（操作部制御部または制御部）に電力供給されるが、揮発性記憶部（第一の揮発性記憶部または第二の揮発性記憶部）には電力供給されない消費電流の小さいモードである通常起動モードも兼ね備えることで、商用電源から電力供給を受ける主電源を使用しながらも低入力電力を維持することができる。すなわち、高速起動モードと通常起動モードを兼ね備えることにより、装置全体として非稼働状態から稼働状態への移行が早く、かつエネルギー効率の良い画像形成装置を提供することができる。
【００６６】
また、非稼働状態において、補助電源の残量が少ない場合には電力供給元を商用電源から電力供給を受ける主電源に切り替えつつ、制御部（操作部制御部または制御部）に電力供給されるが、揮発性記憶部（第一の揮発性記憶部または第二の揮発性記憶部）には電力供給されない消費電流の小さいモードである通常起動モードに変更することで、商用電源から電力供給を受ける主電源を使用しながらも低入力電力を維持することができる。すなわち、蓄電可能な補助電源の残量に応じて、高速起動モードと通常起動モードを適切に切り替えることができる。
【００６７】
また、非稼働状態において、蓄電装置の残量が少なくなった場合には電力供給元を商用電源から電力供給を受ける主電源に切り替えつつ、制御部（操作部制御部または制御部）に電力供給されるが、揮発性記憶部（第一の揮発性記憶部または第二の揮発性記憶部）には電力供給されない、消費電流の小さい通常起動モードに変更することで、商用電源から電力供給を受ける主電源を使用しながらも低入力電力を維持することができる。すなわち、蓄電可能な補助電源の残量に応じて、高速起動モードと通常起動モードを適切に切り替えることができる。
【００６８】
図５は、第１の実施形態の起動モード変更フロー図である。
【００６９】
図５に示されるフロー図は画像形成装置の稼働状態からスタートする。まず制御部である制御回路５１は、起動スイッチ３のオフを検知する（ステップＳ１）。そして制御回路５１は、蓄電装置２の残量を取得する（ステップＳ２）。次に制御回路５１は、取得した残量が閾値より小さい場合は、通常起動モードに移行する（ステップＳ８）。具体的には、切替回路４３、５３を制御しＲＡＭ４２，ＲＡＭ５２への通電を遮断する。すると制御回路５１は、電力供給元をＰＳＵ１に設定して（ステップＳ９）、本処理フローは終了する。
【００７０】
ステップＳ３に戻ると、制御回路５１は、取得した残量が閾値以上であった場合、高速起動モードに設定する（ステップＳ４）。具体的には、切替回路４３、５３を制御しＲＡＭ４２，ＲＡＭ５２への通電を行う。次に制御回路５１は、電力供給元を蓄電装置２に切り替える（ステップＳ５）。そして制御回路５１は、蓄電装置２の蓄電残量を取得する（ステップＳ６）。さらに制御回路５１は、蓄電装置２の蓄電残量を判断する（ステップＳ７）。そして蓄電残量が閾値以上であった場合、一例としてあらかじめ決められた所定時間経過毎に、蓄電残量の取得（ステップＳ６）を実行し、蓄電残量の判断（ステップＳ７）を繰り返す。
【００７１】
一方制御回路５１は、ステップＳ７で蓄電残量が閾値より小さい場合は、通常起動モードに移行する（ステップＳ８）。具体的には、切替回路４３、５３を制御しＲＡＭ４２，ＲＡＭ５２への通電を遮断する。その後制御回路５１は、電力供給元をＰＳＵ１に設定して（ステップＳ９）、本処理フローは終了する。
【００７２】
図６は、図２で説明した通電構成の変形例である。図６では、図２で示した構成に加えて、商用電源ＡＣとＰＳＵ１の間にスイッチ１６を有する。図２の構成では、蓄電装置２から電力を供給している間も、ＰＳＵ１には商用電源が接続されている為、画像形成装置１００は入力電力を消費し続けている。一例として図４（ｅ）のＴ１〜Ｔ２の間も入力電力がゼロにはならない。それに対し本変形例では、スイッチ１６を設け、蓄電装置２から電力供給している間は、制御回路５１がスイッチ１６をオフとなるように制御する。したがってＰＳＵ１は商用電源ＡＣから完全に切り離され、画像形成装置１００への入力電力をゼロにすることが可能である。図６の例では、スイッチ１３とスイッチ１６は共通の信号線１５を介してコントローラ５に接続されている為、制御回路５１によるオン／オフの切り替えは両スイッチについて同じタイミングで行われる。
【符号の説明】
【００７３】
１００  画像形成装置
１  ＰＳＵ
２  蓄電装置
３  起動スイッチ
４  操作部
５  コントローラ
１２  ブロックダイオード
１３、１６  スイッチ
１４、１５  信号線
４１  操作部制御回路
５１  制御回路
４２、５２  ＲＡＭ
４３、５３  切替回路
【先行技術文献】
【特許文献】
【００７４】
【特許文献１】特開２０１０−２２０４６０
【図１】
2019211584.tif 000003
【図２】
2019211584.tif 000004
【図３】
2019211584.tif 000005
【図４】
2019211584.tif 000006
【図５】
2019211584.tif 000007
【図６】
2019211584.tif 000008